(57)【特許請求の範囲】
【請求項１】
ディスプレイが収容された第１キャビネットと、
上ケースおよび下ケースを有するとともに、凹部が設けられ、プリント回路板が収容された第２キャビネットと、
前記第１キャビネットと前記第２キャビネットとを回動可能に支持したヒンジ部と、
前記凹部に装着された部品と、
前記ディスプレイと前記プリント回路板とを電気的に接続するとともに、前記凹部内に露出された配線と、
前記配線を覆ったカバーと、
前記下ケースに設けられ前記カバーに当接する突部と、
を具備した電子機器。
【請求項２】
前記凹部の底面を規定する底壁と、前記凹部の側面を規定する側壁と、を有する壁部を具備し、
前記カバーは、前記底壁と、前記側壁とに亘るように前記壁部に取り付けられたことを特徴とする請求項１に記載の電子機器。
【請求項３】
前記カバーは、第２の側壁を具備し、前記第２の側壁は、前記側壁の一部を覆うように設けられるとともに、前記凹部の側面を規定することを特徴とする請求項２に記載の電子機器。
【請求項４】
前記壁部は、前記上ケースと、前記下ケースとにまたがって形成されており、
前記カバーは、前記壁部のうち前記上ケースの部分に固定されたことを特徴とする請求項２に記載の電子機器。
【発明の詳細な説明】
【技術分野】
【０００１】
本発明は、本体キャビネットおよびディスプレイキャビネットを備えた電子機器に関する。
【背景技術】
【０００２】
ヒンジ部分を介して互いに回動自在に結合した２つの筐体を持った電子機器、すなわちノート型パーソナルコンピュータが開示されている。この電子機器は、キーボードなどが設けられる本体ユニットと、表示画面を有する表示ユニットと、これらを連結するヒンジ部と、ヒンジ部の外側を経由して本体ユニットと表示ユニットとを接続するケーブルと、を備えている。また、本体ユニットは、ケーブルを案内するための案内溝と、案内溝を覆う庇部と、庇部の上側から案内溝を覆う蓋部材と、を有している。
【０００３】
一般に電子機器では、ケーブルは、ヒンジ部の内側に通されるが、この電子機器のようにケーブルをヒンジ部の外側に通すと、ケーブルの位置が安定しない問題がある。この電子機器では、案内溝の内側にケーブルを通すことで、ケーブルを正規の配線ルート上に保持することができる。また、案内溝を蓋部材で覆ってしまうことで、ケーブルが外部から見えないようにしている（例えば、特許文献１参照）。
【特許文献１】特開２００７−２４９９０１号公報
【発明の開示】
【発明が解決しようとする課題】
【０００４】
ところで、上記電子機器の例以外にも、実装スペースの確保が難しくなっている場合に、筐体の外側にケーブルを配線することがある。その際、ケーブルを配線する箇所を筐体に対して着脱が可能な部品で覆って、外部から見えないようにしてしまうことが考えられる。しかしながら、そのような部品は、ユーザの意思で自由に取り外しできるものであることから、ユーザがケーブルに接触する可能性がある。これによって、ケーブルが切断される等の不具合を生ずる可能性があり、改善の余地があった。
【０００５】
本発明の目的は、筐体に対して着脱可能な部品で覆われた部分に配置された配線に関して、ユーザの接触を防止することができる電子機器を提供することにある。
【課題を解決するための手段】
【０００６】
前記目的を達成するため、本発明の一つの形態に係る電子機器は、ディスプレイを収容したディスプレイキャビネットと、プリント回路板を収容した本体キャビネットと、前記ディスプレイキャビネットと前記本体キャビネットとの間の位置に設けられるとともに、前記本体キャビネットに対して前記ディスプレイキャビネットを回動できるように支持したヒンジ部と、前記本体キャビネットに窪んで設けられた凹部と、前記凹部の周囲を規定するように前記本体キャビネットに形成された壁部と、前記凹部に対して着脱自在な部品と、前記ディスプレイと前記プリント回路板とを電気的に接続するとともに、前記凹部内において外部に露出された配線と、前記凹部に装着された前記部品と前記壁部との間の隙間の位置で、前記配線を覆うように前記壁部に取り付けられるカバーと、を具備する。
【発明の効果】
【０００７】
本発明によれば、筐体に対して着脱可能な部品で覆われた部分に配置された配線に関して、ユーザの接触を防止することができる電子機器を提供できる。
【発明を実施するための最良の形態】
【０００８】
以下に、図１から図８を参照して、電子機器の第１の実施形態について説明する。本実施形態では、電子機器の一例として、いわゆるノートブック型のパーソナルコンピュータであるポータブルコンピュータに適用した場合を例に説明する。
【０００９】
図１と図５に示すように、ポータブルコンピュータ１１は、本体ユニット１２と、ディスプレイユニット１３と、本体ユニット１２とディスプレイユニット１３との間に設けられるヒンジ部１４と、ディスプレイユニット１３の後述する液晶ディスプレイ１６と本体ユニット１２の後述するプリント回路板１７とを電気的に接続する配線（ハーネス）２５と、を備えている。ヒンジ部１４は、ディスプレイユニット１３を回動可能に支持している。ヒンジ部１４は、本体ユニット１２に対して閉じている状態と、本体ユニット１２に対して開いている状態との間で回動できるようにディスプレイユニット１３を支持している。図１に示すように、矢印Ｆは、ポータブルコンピュータ１１の前方を示しており、矢印Ｒは、ポータブルコンピュータ１１の後方を示している。
【００１０】
図１に示すように、ディスプレイユニット１３は、合成樹脂製のディスプレイキャビネット１５と、ディスプレイキャビネット１５の内部に収納されるディスプレイの一例である液晶ディスプレイ１６と、を備えている。
【００１１】
図１〜４および図８に示すように、本体ユニット１２は、合成樹脂製の本体キャビネット２１と、本体キャビネット２１の内部に収容されるプリント回路板１７と、本体キャビネット２１に取り付けられたキーボード１８およびタッチパッド１９と、本体キャビネット２１に窪んで設けられた方形の凹部２２と、凹部２２の周囲を規定するように本体キャビネット２１に形成される壁部２３と、凹部２２に取り付けられる部品の一例であるバッテリパック２４と、配線２５を覆うように壁部２３に取り付けられるカバー２６と、を備えている。プリント回路板１７は、ＣＰＵ等の複数の回路部品を実装したメイン基板である。本体キャビネット２１およびディスプレイキャビネット１５によって、ポータブルコンピュータ１１の外郭である筐体が形成されている。凹部２２の内側には、バッテリパック２４と電気的に接続するためのコネクタ２７が設けられている。バッテリパック２４は、凹部２２に対して装着したり、凹部２２から取り外したりすることができる。
【００１２】
本体キャビネット２１は、ヒンジ部１４に連なっている第１のケース３１と、プリント回路板１７が固定される第２のケース３２と、を有している。すなわち、本実施形態の本体キャビネット２１は、その厚み方向において、上側の半部である第１のケース３１と、下側の半部である第２のケース３２と、に２分割されている。図４に示すように、前記壁部２３は、第１のケース３１と、第２のケース３２との両側にまたがって形成されている。図７に示すように、第２のケース３２は、第１のケース３１に向けて突出する突部３２Ａを有している。
【００１３】
凹部２２は、本体キャビネット２１の底部３３と、ポータブルコンピュータ１１の後方の端部で底部３３から上方に立ち上がった側部３４と、にまたがる位置に設けられている。
【００１４】
壁部２３は、凹部２２の底面を規定する底壁２３Ａと、凹部２２の側面を規定する側壁２３Ｂ（第１の側壁）と、を有している。配線２５は、凹部２２内において外部に露出するように配置されている。図５に示すように、配線２５は、断面円形に形成されているが、本体キャビネット２１の内側において、扁平に形成されている。配線２５の一方の端部には、プリント回路板１７に接続するためのコネクタ２５Ａが設けられている。配線２５は、液晶ディスプレイ１６に電力を供給する電力線と、液晶ディスプレイ１６に制御信号を送る信号線などを含んでいる。配線２５は、電力線および信号線などの周囲に、例えば、導電性のシールド層を有する布製のテープを巻き回して形成されている。
【００１５】
カバー２６は、配線２５を覆うように壁部２３に取り付けられている。図７に示すように、カバー２６は、凹部２２に装着された部品であるバッテリパック２４と、壁部２３との間の隙間の位置に配置されている。カバー２６は、壁部２３のうち、第１のケース３１の部分に固定されており、底壁２３Ａと側壁２３Ｂとに亘るように壁部２３に取り付けられている。カバー２６は、合成樹脂によって形成されている。カバー２６は、断面略かぎ形状になったカバー本体３５と、カバー本体３５から第１の側壁２３Ｂと平行な方向に突出する第２の側壁３６と、を有している。第２の側壁３６は、第１の側壁２３Ｂの一部を覆うように設けられており、凹部２２の側面を規定している。カバー本体３５は、水平方向に延びる上面３５Ａと、上面３５Ａから斜め下方に延びる斜面３５Ｂと、を有している。図７に示すように、第１のケース３１と第２のケース３２とを接合した状態において、第２のケース３２の突部３２Ａは、カバー本体３５の上面３５Ａに突き当っている。斜面３５Ｂは、バッテリパック２４を凹部２２に装着する際、バッテリパック２４側の端子をコネクタ２７に導くためのガイドとして機能する。
【００１６】
続いて、図７、８を参照して、本実施形態のカバー２６の作用について説明する。図８に示すように、ポータブルコンピュータ１１は、組み立て工程の途中において、ディスプレイユニット１３およびヒンジ部１４が取り付けられた第１のケース３１と、プリント回路板１７等の部品が固定された第２のケース３２とを突き合わせた状態にする。この状態で、例えばねじ止めすることで第１のケース３１と第２のケース３２とを接合する。その際、配線２５は、図５、図７に示すように、カバー２６の内側に保持されているため、配線２５が不用意に動いてしまうことがない。このため、第１のケース３１と第２のケース３２とを接合する際に、第１のケース３１側の第１の側壁２３Ｂと、第２のケース３２側の第１の側壁２３Ｂとの間で、配線２５を挟んで配線２５を傷つけてしまうことを防止することができる。
【００１７】
第１の実施形態によれば、ポータブルコンピュータ１１は、ディスプレイを収容するディスプレイキャビネット１５と、プリント回路板１７を収容する本体キャビネット２１と、ディスプレイキャビネット１５と本体キャビネット２１との間の位置に設けられるとともに、本体キャビネット２１に対してディスプレイキャビネット１５を回動できるように支持するヒンジ部１４と、本体キャビネット２１に窪んで設けられた凹部２２と、凹部２２の周囲を規定するように本体キャビネット２１に形成される壁部２３と、凹部２２に対して装着したり、凹部２２から取り外したりできる部品と、ディスプレイとプリント回路板１７とを接続するとともに、凹部２２内において外部に露出される配線２５と、凹部２２に装着された部品と壁部２３との間の隙間の位置で、配線２５を覆うように壁部２３に取り付けられるカバー２６と、を具備する。
【００１８】
この構成によれば、カバー２６によって配線２５が覆われているため、凹部２２から部品を取り外した状態において、ユーザが配線２５に接触してしまうこと防止することができる。これによって、配線２５を切断したり、配線２５に無理な力がかかって配線２５内部で断線を生じたりすることを防止することができる。また、凹部２２から部品を取り外した状態において、配線２５が外部に露出してしまうことがなく、ポータブルコンピュータ１１の美観を向上することができる。
【００１９】
この場合、壁部２３は、凹部２２の底面を規定する底壁２３Ａと、凹部２２の側面を規定する側壁２３Ｂと、を有し、カバー２６は、底壁２３Ａと、側壁２３Ｂとに亘るように壁部２３に取り付けられる。この構成によれば、底壁２３Ａと側壁２３Ｂとの間の位置にある辺部の近傍を、カバー２６によって覆うことができる。これによって、カバー２６の内側に配線２５を配置して、配線２５を外部から見えないようにすることができる。また、カバー２６自体の形状も簡易なものにすることができる。
【００２０】
この場合、カバー２６は、第２の側壁３６を具備し、第２の側壁３６は、側壁２３Ｂの一部を覆うように設けられるとともに、凹部２２の側面を規定する。この構成によれば、カバー２６によって、凹部２２の側壁２３Ｂの一部を兼ねることができる。これによって、ポータブルコンピュータ１１の美観を向上できるとともに、本体キャビネット２１内に異物等が浸入してしまうことを防止することができる。
【００２１】
この場合、本体キャビネット２１は、ヒンジ部１４と連なる第１のケース３１と、第１のケース３１とは独立に設けられるとともに、プリント回路板１７が固定される第２のケース３２と、を有し、壁部２３は、第１のケース３１と、第２のケース３２とにまたがって形成され、カバー２６は、壁部２３のうち第１のケース３１の部分に固定される。この構成によれば、第１のケース３１と第２のケース３２を接合して電子機器を組み立てる際に、カバー２６によって配線２５を正規の位置に保持することができる。これによって、配線２５が正規の位置から動いてしまうことがなく、第１のケース３１と第２のケース３２とを接合する際に、壁部２３の第１のケース３１に設けられた部分と壁部２３の第２のケース３２に設けられた部分との間で配線２５を挟んで、配線２５を傷つけてしまうことを防止することができる。また、配線２５の位置が変動しないので、第２のケース３２に対して第１のケース３１を迅速に組み付けることができる。
【００２２】
この場合、第２のケース３２は、第１のケース３１に向けて突出する突部３２Ａを有し、突部３２Ａは、カバー２６の上面３５Ａに当接する。この構成によれば、組み立てが完了して、第１のケース３１と第２のケース３２が接合された状態において、突部３２Ａがカバー２６を押さえているため、カバー２６が第１のケース３１から外れてしまうことを防止することができる。
【００２３】
続いて、図９を参照して、ポータブルコンピュータの第２の実施形態について説明する。第２の実施形態の電子機器の一例であるポータブルコンピュータ４１は、凹部４２の位置および凹部４２に取り付けられる部品が第１の実施形態と異なっているが、他の部分は第１の実施形態と共通している。このため、主として第１の実施形態と異なる部分について説明し、共通する箇所については共通の符号を付して説明を省略する。
【００２４】
本体ユニット１２は、本体キャビネット２１の底部に方形に設けられた凹部４２と、凹部４２に取り付けられる部品の一例であるハードディスク装置４３と、配線２５を覆うように壁部４５に取り付けられるカバー４４と、を備えている。凹部４２の周囲を規定する壁部４５は、凹部４２の底面を規定する底壁４５Ａと、凹部４２の側面を規定する側壁４５Ｂと、を有している。ハードディスク装置４３は、ディスク装置本体４６と、本体キャビネット２１と面一になるように凹部４２の開口縁部に固定されるパネル４７と、を有している。パネル４７は、ディスク装置本体４６と一体になるように、ディスク装置本体４６に接着されている。ハードディスク装置４３は、凹部４２に対して装着したり、凹部４２から取り外したりすることができる。
【００２５】
カバー４４は、配線２５を覆うように壁部４５に取り付けられている。カバー４４は、凹部４２に装着された部品であるハードディスク装置４３と、壁部４５との間の隙間の位置に配置されている。カバー４４は、底壁４５Ａと側壁４５Ｂとに亘るように取り付けられている。カバー４４は、合成樹脂によって形成されている。
【００２６】
続いて、図９を参照して、本実施形態のカバー４４の作用について説明する。図９に示すように、ポータブルコンピュータ４１を組み立てる際には、凹部４２に対してハードディスク装置４３を装着する。その際、配線２５は、図９に示すように、カバー４４の内側に保持されているため、配線２５が不用意に動いてしまうことがない。このため、ハードディスク装置４３を凹部４２に装着する際に、ハードディスク装置４３と、壁部４５との間で、配線２５を挟んで傷つけてしまうことを防止することができる。
【００２７】
第２の実施形態によれば、凹部４２に装着される部品は、ハードディスク装置４３で構成されている。この構成によれば、カバー４４によって配線２５が覆われているため、凹部４２から部品を取り外した状態において、ユーザが配線２５に接触してしまうこと防止することができる。これによって、配線２５を切断したり、配線２５に無理な力がかかって配線２５内部で断線を生じたりすることを防止することができる。また、凹部４２から部品を取り外した状態において、配線２５が外部に露出してしまうことがなく、ポータブルコンピュータ４１の美観を向上することができる。
【００２８】
本発明の電子機器は、前記実施の形態に限定されるものではない。上記各実施形態では、本体キャビネット２１側に凹部およびこれに取り付けられる部品を設けるようにしているが、ディスプレイキャビネット１５側に凹部およびこれに取り付けられる部品を設けるようにしても良い。また、凹部２２、４２に取り付けられる部品は、バッテリパック２４やハードディスク装置４３に限られるものではなく、本発明は、ユーザの意思で着脱できる部品すべてに適用することができる。さらに、本発明の電子機器は、ポータブルコンピュータ１１、４１だけはなく、携帯電話機にも適用することができる。このほか、本発明の電子機器は、発明の要旨を逸脱しない範囲で種々変形実施可能であるのは勿論である。
以下に、本願出願の当初の特許請求の範囲に記載された発明を付記する。
［１］
ディスプレイを収容したディスプレイキャビネットと、
プリント回路板を収容した本体キャビネットと、
前記ディスプレイキャビネットと前記本体キャビネットとの間の位置に設けられるとともに、前記本体キャビネットに対して前記ディスプレイキャビネットを回動できるように支持したヒンジ部と、
前記本体キャビネットに窪んで設けられた凹部と、
前記凹部の周囲を規定するように前記本体キャビネットに形成された壁部と、
前記凹部に対して着脱自在な部品と、
前記ディスプレイと前記プリント回路板とを電気的に接続するとともに、前記凹部内において外部に露出された配線と、
前記凹部に装着された前記部品と前記壁部との間の隙間の位置で、前記配線を覆うように前記壁部に取り付けられたカバーと、
を具備することを特徴とする電子機器。
［２］
前記壁部は、前記凹部の底面を規定する底壁と、前記凹部の側面を規定する側壁と、を有し、
前記カバーは、前記底壁と、前記側壁とに亘るように前記壁部に取り付けられたことを特徴とする［１］に記載の電子機器。
［３］
前記カバーは、第２の側壁を具備し、前記第２の側壁は、前記側壁の一部を覆うように設けられるとともに、前記凹部の側面を規定することを特徴とする［２］に記載の電子機器。
［４］
前記本体キャビネットは、
前記ヒンジ部と連なる第１のケースと、
前記第１のケースとは独立に設けられるとともに、前記プリント回路板が固定された第２のケースと、
を有し、
前記壁部は、前記第１のケースと、前記第２のケースとにまたがって形成されており、
前記カバーは、前記壁部のうち前記第１のケースの部分に固定されたことを特徴とする［３］に記載の電子機器。
［５］
前記第２のケースは、前記第１のケースに向けて突出した突部を有し、
前記突部は、前記カバーの上面に当接していることを特徴とする［４］に記載の電子機器。
【図面の簡単な説明】
【００２９】
【図１】第１の実施形態に係る電子機器の一例であるポータブルコンピュータを示す斜視図。
【図２】図１に示すポータブルコンピュータの本体ユニットを示す斜視図。
【図３】図２に示す本体ユニットの凹部からバッテリパックを取り外した状態を示す斜視図。
【図４】図３に示す本体ユニットの凹部を拡大して示す斜視図。
【図５】図４に示す本体ユニットの第１のケースと、これに取り付けられるカバーとを示す斜視図。
【図６】図４に示す凹部に取り付けられたカバーを拡大して示す斜視図。
【図７】図４に示すポータブルコンピュータのＦ７−Ｆ７線に沿った断面図。
【図８】図１に示すポータブルコンピュータの組み立て工程を示す斜視図。
【図９】第２の実施形態に係る電子機器の一例であるポータブルコンピュータを示す斜視図。
【符号の説明】
【００３０】
１１、４１…ポータブルコンピュータ、１４…ヒンジ部、１５…ディスプレイキャビネット、１６…液晶ディスプレイ、１７…プリント回路板、２１…本体キャビネット、２２、４２…凹部、２３、４５…壁部、２３Ａ、４５Ａ…底壁、２３Ｂ、４５Ｂ…側壁、２４…バッテリパック、２５…配線、２６、４４…カバー、３１…第１のケース、３２…第２のケース、３２Ａ…突部、３５Ａ…上面、３６…第２の側壁、４３…ハードディスク装置
【図１】
0004922241.tif 000002
【図２】
0004922241.tif 000003
【図３】
0004922241.tif 000004
【図４】
0004922241.tif 000005
【図５】
0004922241.tif 000006
【図６】
0004922241.tif 000007
【図７】
0004922241.tif 000008
【図８】
0004922241.tif 000009
【図９】
0004922241.tif 000010